(57)【要約】【課題】接続端子に接続された外部機器に駆動電力を供給可能に設けられる電子機器であって、安全に利用することができる電子機器を提供する。【解決手段】電子機器１は、接続端子５０に接続された外部機器３に駆動電力を供給可能に設けられる。電子機器１は、外部機器３の消費電力に関する情報を検出するための検出部６０と、検出部６０からの情報に基づいて当該電子機器１の出力設定値を変更するか否か判断する判断部１０と、を備える。【選択図】図１
2016005129.tif 000002
【特許請求の範囲】
【請求項１】
接続端子に接続された外部機器に駆動電力を供給可能に設けられる電子機器であって、
前記外部機器の消費電力に関する情報を検出するための検出部と、
前記検出部からの情報に基づいて当該電子機器の出力設定値を変更するか否か判断する判断部と、
を備える、電子機器。
【請求項２】
前記検出部からの情報に基づいて警告を報知する処理を実行する報知処理部を更に備える、請求項１に記載の電子機器。
【請求項３】
前記判断部は、前記検出部からの情報に基づいて、前記出力設定値を変更するか否かに加えて前記外部機器への電力供給を停止するか否かを判断する、請求項１又は２に記載の電子機器。
【請求項４】
前記検出部には、前記外部機器の消費電力の大きさに応じて前記判断部に出力する電流の大きさを変化させる光素子が含まれる、請求項１から３のいずれかに記載の電子機器。
【請求項５】
当該電子機器はテレビジョン受像機であって、
前記出力設定値は、輝度設定値及び音量設定値のうちの少なくともいずれか一方である、請求項１から４のいずれかに記載の電子機器。
【発明の詳細な説明】
【技術分野】
【０００１】
本発明は、外部機器が接続される端子を有する電子機器に関する。
【背景技術】
【０００２】
従来、接続端子に接続された外部機器に駆動電力を供給可能に設けられる電子機器が知られている。このような電子機器としては、例えばテレビジョン受像機、ＰＣ（Personal Computer）、プロジェクター等が挙げられる。電子機器が備える接続端子（外部機器が接続される端子）の代表例としては、ＵＳＢ（Universal Serial Bus）端子が挙げられる。接続端子に接続される外部機器としては、例えば、ＵＳＢメモリー、ＵＳＢ充電器等が挙げられる。
【０００３】
このような電子機器では、想定される消費電力より大きな電力を要する外部機器が接続端子に接続されると、過剰な発熱や発煙等が生じる可能性がある。このため、電力供給手段で供給可能な電力の上限を超える消費電力を要する外部機器が接続端子に接続された場合に、当該外部機器への電力供給を停止する電子機器がある。また、電源規格を超える消費電力を要する外部機器が接続端子に接続されたことを使用者に報知する電子機器がある（例えば特許文献１参照）。
【先行技術文献】
【特許文献】
【０００４】
【特許文献１】特開２００８−１２３１３８号公報
【発明の概要】
【発明が解決しようとする課題】
【０００５】
ところで、電子機器が許容できる上限を超えないまでも、当該上限に近い消費電力を要する等、接続端子への接続が好ましくない外部機器が誤って電子機器に接続されることがある。このような場合、外部機器が接続される電子機器の故障や、発煙の発生等が起る可能性があり、このような危険な状態は回避されるべきである。
【０００６】
以上の点に鑑みて、本発明の目的は、接続端子に接続された外部機器に駆動電力を供給可能に設けられる電子機器であって、安全に利用することができる電子機器を提供することである。
【課題を解決するための手段】
【０００７】
上記目的を達成するために本発明の電子機器は、接続端子に接続された外部機器に駆動電力を供給可能に設けられる電子機器であって、前記外部機器の消費電力に関する情報を検出するための検出部と、前記検出部からの情報に基づいて当該電子機器の出力設定値を変更するか否か判断する判断部と、を備える構成（第１の構成）になっている。なお、前記判断部は、前記外部機器への駆動電力の供給を維持するか否かを判断し、前記駆動電力の供給を維持する場合に、前記出力設定値を変更するか否かを判断する構成であるのが好ましい。
【０００８】
本構成によれば、接続端子に不適切な外部機器が接続された場合に、電子機器の出力設定値（例えば音量設定値等）を変更して、当該機器内に備えられる電源部に過剰な負荷がかかることを抑制できる。すなわち、本構成によれば、接続端子に接続された外部機器に駆動電力を供給可能に設けられる電子機器を安全に利用することができる。
【０００９】
上記第１の構成の電子機器は、前記検出部からの情報に基づいて警告を報知する処理を実行する報知処理部を更に備える構成（第２の構成）であるのが好ましい。本構成によれば、使用者に対して、接続端子に接続した外部機器が接続に不適切な機器であることを知らせることができる。
【００１０】
上記第１又は第２の構成の電子機器において、前記判断部は、前記検出部からの情報に基づいて、前記出力設定値を変更するか否かに加えて前記外部機器への電力供給を停止するか否かを判断する構成（第３の構成）であるのが好ましい。本構成によれば、許容することができない大きな消費電力を要する外部機器が接続端子に接続された場合に、外部機器への電力供給を停止して、電子機器（外部機器が接続される機器）が備える電源部に過剰な負荷がかかることを抑制できる。
【００１１】
上記第１から第３のいずれかの構成の電子機器において、前記検出部には、前記外部機器の消費電力の大きさに応じて前記判断部に出力する電流の大きさを変化させる光素子が含まれる構成（第４の構成）が採用されてよい。
【００１２】
上記第１から第４のいずれかの構成の電子機器において、当該電子機器はテレビジョン受像機であって、前記出力設定値は、輝度設定値及び音量設定値のうちの少なくともいずれか一方である構成（第５の構成）が採用されてよい。
【発明の効果】
【００１３】
本発明によれば、接続端子に接続された外部機器に駆動電力を供給可能に設けられる電子機器を安全に利用することができる。
【図面の簡単な説明】
【００１４】
【図１】本発明の第１実施形態に係る電子機器（テレビ）の概略構成を示すブロック図
【図２】本発明の第１実施形態に係る電子機器が備える検出部について説明するための回路図
【図３】本発明の第１実施形態に係る電子機器において、接続端子部に外部機器が接続された場合に実行される処理を示すフローチャート
【図４】本発明の第２実施形態に係る電子機器において、接続端子部に外部機器が接続された場合に実行される処理を示すフローチャート
【図５】本発明の第３実施形態に係る電子機器が備える検出部について説明するための回路図
【発明を実施するための形態】
【００１５】
以下、本発明に係る電子機器の実施形態について、図面を参照しながら詳細に説明する。なお、本発明は、外部機器を接続する接続端子を有し、当該接続端子に接続された外部機器に駆動電力を供給可能に設けられる電子機器に対して広く適用可能である。例えば、本発明は、テレビジョン受像機（以下、単にテレビと表現する）、ＰＣ、プロジェクター、光ディスクプレーヤー、光ディスクレコーダー等に適用可能である。以下、本発明がテレビに適用された場合を例に挙げて説明する。
＜第１実施形態＞
【００１６】
図１は、本発明の第１実施形態に係る電子機器１（テレビ）の概略構成を示すブロック図である。図１に示すように、テレビ１は、制御ＩＣ（Integrated Circuit）１０と、電源部２０と、入力部３０と、放送信号受信処理部４０と、接続端子部５０と、検出部６０と、を備えている。
【００１７】
制御ＩＣ１０は、テレビ１を構成する各部の制御を行う。制御ＩＣ１０には、例えばＣＰＵ（Central Processing Unit）、ＲＯＭ（Read On Memory）、ＲＡＭ（Random Access Memory）等が備えられている。ＣＰＵは、ＲＡＭをワークエリアとしつつＲＯＭに記憶されているプログラムに従って各種の処理を実行する。詳細は後述するように、制御ＩＣ１０は、検出部６０からの情報に基づいて、テレビ１の出力設定値を変更するか否かを判断したり、警告を報知する処理を行ったりする機能を備える。また、制御ＩＣ１０は、検出部６０からの情報に基づいて、接続端子部５０を介して接続される外部機器３への電力供給を停止するか否かも判断する。すなわち、制御ＩＣ１０は、本発明の判断部、報知処理部の一例である。
【００１８】
電源部２０は、テレビ１を構成する各部に電力を供給する。電源部２０は、外部の商用電源から電源コード（不図示）を介して取得される交流電圧を適当な電圧に変圧すると共に直流電圧に変換して、各部に直流電力を供給する。入力部３０は、使用者がテレビ１に指令を入力できるように設けられている。入力部３０は、例えば、機器本体に設けられる入力ボタン、及び／又は、機器本体に設けられる受信部と対になって使用されるリモコン等であってよい。
【００１９】
放送信号受信処理部４０は、アンテナ２を介して、放送局から所定周波数の高周波電波で発信されるテレビジョン（ＴＶ）放送信号を受信し、受信した信号の処理を行う。放送信号受信処理部４０には、チューナー部４１と、映像・音声処理部４２と、表示部４３と、スピーカー４４と、が含まれる。
【００２０】
チューナー部４１は、使用者により選局されたチャンネルのＴＶ放送信号を、アンテナ２を介して受信する。映像・音声処理部４２は、チューナー部４１で受信したＴＶ放送信号の復調、誤り訂正処理を行い、多重化された信号の中から必要なＴＳ（Transport Stream）パケットを分離する。そして、映像・音声処理部４２は、映像信号及び音声信号を含むＴＳパケットをデコードする。映像・音声処理部４２においては、ＴＶ放送信号から得られた映像信号を処理して、所定の表示画像を重畳した映像信号を生成するＯＳＤ（On Screen Display）処理も適宜行われる。
【００２１】
表示部４３は、映像・音声処理部４２から受信した映像信号にしたがって映像を表示する。表示部４３は、例えば液晶パネルとバックライトを含む液晶モジュール等によって構成される。スピーカー４４は、映像・音声処理部４２から受信した音声信号にしたがって音声を出力する。なお、使用者は、入力部３０を介して、表示部４３やスピーカー４４の出力設定値（例えば、輝度設定値や音量設定値等）の調節を行える。
【００２２】
接続端子部５０は、外部機器３を接続するためのＵＳＢ端子によって構成されている。接続端子部５０に外部機器３が接続されると、電源部２０から外部機器３に駆動電力が供給される。なお、外部機器３としては、例えば、ハードディスクドライブ装置、メモリー、光ディスクプレーヤー、光ディスクレコーダー、ゲーム機器、デジタルカメラ、ビデオカメラ、ネットワークサーバー等が挙げられる。検出部６０は、外部機器３の消費電力に関する情報を検出するために設けられている。
【００２３】
図２は、本発明の第１実施形態に係る電子機器１が備える検出部６０について説明するための回路図である。図２に示すように、接続端子部５０は、２本の電源線Ｖｂｕｓ、ＧＮＤと、２本の信号線Ｄ−、Ｄ＋とを備えている。電源線Ｖｂｕｓは、フォトカプラー６１（本発明の光素子）を構成する発光ダイオード６１ａを介して電源部２０に接続されている。２本の信号線Ｄ−、Ｄ＋は、いずれも制御ＩＣ１０に接続されている。制御ＩＣ１０は、フォトカプラー６１を構成するフォトトランジスタ６１ｂを介して電源部２０に接続されている。
【００２４】
接続端子部５０に外部機器３が接続されると、電源部２０から発光ダイオード６１ａを介して電源線Ｖｂｕｓへと電流が流れる。発光ダイオード６１ａに電流が流れると、発光ダイオード６１ａが発光し、フォトトランジスタ６１ｂにおいて電流が流れ、制御ＩＣ１０に電流が入力される。発光ダイオード６１ａを流れる電流の大きさに比例して、制御ＩＣ１０に入力される電流の大きさが変化する。すなわち、接続端子部５０に接続される外部機器３の消費電力の大きさによって制御ＩＣ１０に入力される電流の大きさが変化する。このために、制御ＩＣ１０は、接続端子部５０に接続される外部機器３の消費電力に関する情報を取得することができる。
【００２５】
図３は、本発明の第１実施形態に係る電子機器１において、接続端子部５０に外部機器３が接続された場合に実行される処理を示すフローチャートである。なお、図３に示す処理は、接続端子部５０に外部機器３が接続されるごとに行われる
【００２６】
接続端子部５０に外部機器３が接続されると、電源部２０から外部機器３に対して電力供給が開始される（ステップＳ１）。なお、テレビ１の電源がオンされていない状態で接続端子部５０に外部機器３が接続されることがある。この場合には、テレビ１の電源がオンされることによって、外部機器３に対して電力供給が開始される。そして、この電力供給開始によって、以下のステップＳ２以降が行われる。
【００２７】
外部機器３に対して電力供給が開始されると、制御ＩＣ１０にフォトカプラー６１を介して電流が流れ込む。制御ＩＣ１０は、入力された電流（検出電流）の大きさが第１の閾値以上であるか否かを確認する（ステップＳ２）。第１の閾値は、接続端子部５０に接続される外部機器３が、テレビ１にとって許容できない消費電力を要する機器であるか否かを判断できるように設定される。検出電流の大きさが第１の閾値以上であれば、外部機器３は大きな負荷を有してテレビ１への接続を許容できない、と判断される。また、検出電流の大きさが第１の閾値より小さい場合には、外部機器３はテレビ１への接続を一応許容できる、と判断される。
【００２８】
検出電流の大きさが第１の閾値以上である場合（ステップＳ２でＹｅｓ）には、制御ＩＣ１０は、表示部４３に第１の警告文を表示させるための処理を実行する（ステップＳ３）。第１の警告文の内容は、特に限定されるものではないが、例えば、「このＵＳＢ製品の使用は避けて下さい」といった表現とされる。
【００２９】
制御ＩＣ１０は、第１の警告文を表示させる処理を行うと、電源部２０から外部機器３への電力供給を停止する処理を行う（ステップＳ４）。電力供給の停止は、例えば、制御ＩＣ１０から電源部２０に、電源部２０に設けられるスイッチをオフする制御信号を出力するようにすればよい。外部機器３への電力供給を続けると、過剰な発熱や発煙が起る可能性がある。電力供給の停止は、このような事態の発生を避けるためである。第１の警告文が表示されるために、使用者は、外部機器３が使用できない理由を認識できる。このために、外部機器３への電力供給を停止して当該機器３が使用できなくなっても、使用者が混乱することを避けられる。
【００３０】
なお、ステップＳ３とステップＳ４とは、順序が入れ替わってもよいし、同時に行われてもよい。また、第１の警告文は、例えば、外部機器３の接続端子部５０への接続が解除されるまで継続して表示されるようにしてもよいし、場合によっては、所定の時間で非表示とされるようにしてもよい。
【００３１】
検出電流の大きさが第１の閾値より小さい場合（ステップＳ２でＮｏ）には、制御ＩＣ１０は、検出電流の大きさが第２の閾値以上であるか否かを確認する（ステップＳ５）。第２の閾値は第１の閾値より小さい。第２の閾値は、接続端子部５０に接続される外部機器３が、接続端子部５０への接続が好ましくない大きな消費電力を要する機器であるか否かを判断できるように設定される。検出電流の大きさが第１の閾値より小さく、第２の閾値以上であれば、外部機器３は比較的大きな負荷を有するので、テレビ１への接続が許容できないと言えないまでもテレビ１への接続は好ましくない、と判断される。また、検出電流の大きさが第２の閾値より小さい場合には、当該外部機器３はテレビ１に安全に接続できる、と判断される。
【００３２】
検出電流の大きさが第２の閾値以上である場合（ステップＳ５でＹｅｓ）には、制御ＩＣ１０は、表示部４３に第２の警告文を表示させるための処理を実行する（ステップＳ６）。第２の警告文の内容は、特に限定されるものではないが、例えば、「このＵＳＢ製品は消費電力が高いです」といった表現とされる。
【００３３】
なお、本実施形態では、警告（第１の警告及び第２の警告）を報知する手段として、表示部４３への文章表示を採用しているが、これは一例にすぎない。警告を報知する手段は、例えば、スピーカー４４を利用した音声案内やブザー音等であってもよい。
【００３４】
制御ＩＣ１０は、第２の警告文を表示させる処理を行うと、テレビ１の所定の出力設定値が所定の条件を満たすか否かを確認する（ステップＳ７）。所定の出力設定値は、テレビ（電子機器）に出力調節可能に設けられる出力可変部の設定値であればよく、例えば表示部４３の輝度設定値や、スピーカー４４の音量設定値等が挙げられる。所定の出力設定値が輝度設定値や音量設定値である場合には、制御ＩＣ１０は、所定の出力設定値が所定の値以下であるか否かを確認する。
【００３５】
所定の出力設定値が所定の条件を満たしていれば（ステップＳ７でＹｅｓ）、そのままの状態で外部機器３への電力供給が継続される（ステップＳ９）。一方、所定の出力設定値が所定の条件を満たしていない場合には（ステップＳ７でＮｏ）、出力設定値を所定の条件を満たすように変更し（ステップＳ８）、その後、外部機器３への電力供給が継続される（ステップＳ９）。所定の出力設定値が輝度設定値や音量設定値であれば、出力設定値は所定の値以下に低減される。
【００３６】
このように構成すると、比較的大きな消費電力を要する外部機器３が接続端子部５０に接続された場合において、テレビ１側の使用電流を調整して電源部２０に過負荷が生じる状態を避けられる。第２の警告文が表示されるために、テレビ１の所定の出力設定値が変更されても、使用者を混乱させずに済む。
【００３７】
なお、ステップＳ９で外部機器３への電力供給が継続される場合において、例えば、第２の警告文は、外部機器３が非接続とされるまで継続して表示されてもよい。また、場合によっては、第２の警告文は一定時間の経過後に非表示とされるようにしてもよい。また、ステップＳ６とステップＳ７とは、順序が入れ替わってもよいし、同時に行われてもよい。
【００３８】
検出電流が第２の閾値より小さい場合（ステップＳ５でＮｏ）には、接続端子部５０に適切な外部機器３が接続されているので、特にテレビ１の出力設定値が変更されることなく、電力供給が継続される（ステップＳ９）。
【００３９】
以上からわかるように、第１実施形態の電子機器１によれば、当該電子機器１に許容できない消費電力を要する外部機器３が接続された場合には、外部機器３への電力供給が停止される。更に、当該電子機器１に一応許容できるが比較的大きな消費電力を要する外部機器３が接続された場合には、当該電子機器１における所定の出力設定値が適宜変更され、電源部２０に過剰な負荷がかかるのを避けられる。したがって、接続端子部５０に誤って不適切な外部機器３が接続された場合でも、電子機器１が故障したり、発煙が生じたりすることを避けられる。また、適宜、警告文が表示されるので、使用者を混乱させることを避けられる。
＜第２実施形態＞
【００４０】
次に、第２実施形態のテレビ１について説明する。第２実施形態のテレビ１の構成は、第１実施形態の構成とほぼ同様である。第２実施形態のテレビ１は、接続端子部５０に外部機器３が接続された場合に実行される処理の一部が、第１実施形態の場合と異なる。以下、この違いに絞って説明を行う。
【００４１】
図４は、本発明の第２実施形態に係る電子機器１において、接続端子部５０に外部機器３が接続された場合に実行される処理を示すフローチャートである。図４に示すステップＳ１〜ステップＳ６までは、第１実施形態のテレビ１における処理（図３参照）と同じである。このために、ステップＳ６までの説明は省略する。
【００４２】
第２実施形態のテレビ１では、制御ＩＣ１０は、第２の警告文を表示させる処理を行う（ステップＳ６）と、テレビ１の第１の出力設定値が所定の条件を満たしているか否かを確認する（ステップＳ７）。第１の出力設定値としては、例えば表示部４３の輝度設定値を採用できる。第１の出力設定値が輝度設定値である場合には、制御ＩＣ１０は、第１の出力設定値が所定の値以下であるか否かを確認することになる。
【００４３】
第１の出力設定値が所定の条件を満たしていない場合（ステップＳ７でＮｏ）、制御ＩＣ１０は、第１の出力設定値が所定の条件を満たすように変更する（ステップＳ８）。第１の出力設定値が輝度設定値である場合には、制御ＩＣ１０は、第１の出力設定値を所定の値以下に低減する。制御ＩＣ１０は、第１の出力設定値を変更した後、第２の出力設定値が所定の条件を満たしているか否かを確認する（ステップＳ９）。
【００４４】
なお、第１の出力設定値が所定の条件を満たしていれば（ステップＳ７でＹｅｓ）、制御ＩＣ１０は、続いて、第２の出力設定値が所定の条件を満たしているか否かを確認する（ステップＳ９）。第２の出力設定値としては、例えばスピーカー４４の音量設定値を採用できる。第２の出力設定値が音量設定値である場合には、制御ＩＣ１０は、第２の出力設定値が所定の値以下であるか否かを確認することになる。
【００４５】
第２の出力設定値が所定の条件を満たしていない場合（ステップＳ９でＮｏ）、制御ＩＣ１０は、第２の出力設定値が所定の条件を満たすように変更する（ステップＳ１０）。第２の出力設定値が音量設定値である場合には、制御ＩＣ１０は、第２の出力設定値を所定の値以下に低減する。第２の出力設定値を変更した後は、変更後の出力設定値で外部機器３への電力供給が継続される（ステップＳ１１）。第２の出力設定値が所定の条件を満たしている場合（ステップＳ９でＹｅｓ）、第２の出力設定値の変更は行われることなく、外部機器３への電力供給が継続される（ステップＳ１１）。
【００４６】
第２実施形態の構成によれば、第２の警告文の表示が必要となる外部機器３が接続端子部５０に接続された場合に、複数の出力設定値が所定の条件を満たすように調整される。このために、比較的大きな消費電力を要する外部機器３が接続端子部５０に接続された場合において、電源部２０に過剰な負荷がかかる状態を避け易い。
【００４７】
なお、第２実施形態では、２つの出力設定値が所定の条件を満たすように調整する構成を採用しているが、これに限らず、３つ以上の出力設定値が所定の条件を満たすように調整する構成を採用してもよい。また、第２実施形態では、第２の警告文が表示される場合に、必ず２つの出力設定値が所定の条件を満たすように調整されるが、この構成に限定される趣旨ではない。例えば、第１の出力設定値を変更しても、電源部２０に対して過負荷が生じる可能性があると判断される場合に限って、第２の出力設定値を変更するように構成しても構わない。
＜第３実施形態＞
【００４８】
次に、第３実施形態のテレビ１について説明する。第３実施形態のテレビ１の構成は、第１実施形態の構成とほぼ同様である。ただし、第３実施形態のテレビ１は、外部機器３から消費電力に関する情報を検出するための検出部６０の構成が第１実施形態の構成と異なる。以下、この異なる部分に絞って説明を行う。
【００４９】
図５は、本発明の第３実施形態に係る電子機器１が備える検出部６０について説明するための回路図である。図５に示すように、接続端子部５０は、２本の電源線Ｖｂｕｓ、ＧＮＤと、２本の信号線Ｄ−、Ｄ＋を備えている。電源線Ｖｂｕｓは、温度変化に対して電気抵抗の変化の大きい抵抗体の一種であるポジスタ（登録商標）６２を介して電源部２０に接続されている。２本の信号線Ｄ−、Ｄ＋は、いずれも制御ＩＣ１０に接続されている。制御ＩＣ１０は、ポジスタ６２を介して電源部２０に接続されている。
【００５０】
接続端子部５０にテレビ１が一応許容できる消費電力を要する外部機器３が接続されている場合には、ポジスタ６２を流れる電流は比較的小さく、ポジスタ６２の温度変化はさほど大きくない。制御ＩＣ１０においては、外部機器３の消費電力に対応して変化する電圧（電位）を検出できる。一方、接続端子部５０にテレビ１が許容できない消費電力を要する外部機器３が接続されている場合には、ポジスタ６２に大きな電流が流れるために、ポジスタ６２の温度が大きく変化する。この結果、ポジスタ６２の抵抗値が非常に大きくなり、制御ＩＣ１０において検出される電圧（電位）は極端に小さくなる。
【００５１】
このような構成の検出部６０を利用しても、制御ＩＣ１０において、接続端子部５０に接続される外部機器３の消費電力に関する情報を得ることが可能である。そして、第１実施形態や第２実施形態と同様に、外部機器３の接続に伴う故障や発煙の発生等を抑制することが可能である。なお、ポジスタ６２を利用する場合には、接続端子部５０にテレビ１が許容できない消費電力を要する外部機器３が接続されたことを特に検出しやすい。
＜その他＞
【００５２】
以上に示した実施形態は本発明の例示であり、本発明の適用範囲は、以上に示した実施形態の構成に限定されるものではない。本発明の技術思想を超えない範囲で、以上の実施形態は適宜変更されてよいのは勿論である。また、各実施形態は、可能な範囲で適宜組み合わされてよい。
【００５３】
例えば、電源部２０と接続端子部５０との間に、両者間を流れる電流を検出する電流検出手段を設け、当該電流検出手段から制御ＩＣ１０に電流値が出力されるように構成してもよい。この構成の場合、制御ＩＣ１０は、電流検出手段から得られる情報（電流値）に基づいて、出力設定値（例えば輝度設定値や音量設定値）の変更や外部機器３への電力供給の停止を判断し、報知処理を実行することになる。
【符号の説明】
【００５４】
１  電子機器
３  外部機器
１０  制御ＩＣ（判断部、報知処理部）
５０  接続端子部
６０  検出部
６１  フォトカプラー（光素子）
【図１】
2016005129.tif 000003
【図２】
2016005129.tif 000004
【図３】
2016005129.tif 000005
【図４】
2016005129.tif 000006
【図５】
2016005129.tif 000007